(57)【要約】【課題】超音波霧化装置に気流負圧装置を組み合わせ、作業時間の間欠性と交互操作及び機械的捕獲により、省電力で使用時の安全性の高い、間欠式昆虫誘引捕集器の提供。【解決手段】本考案は、座体上に誘引区域を設け、前記誘引区域近くに設置された誘引剤霧化装置と、背圧発生装置とを含み、そのうち、前記背圧発生装置と誘引剤霧化装置が制御回路により制御され、交替で間欠的に作動する。【選択図】図１
0003119186.tif 000002
【実用新案登録請求の範囲】
【請求項１】
座体上に誘引区域を設け、前記誘引区域近くに設置された誘引剤霧化装置と、背圧発生装置とを含み、そのうち、前記背圧発生装置と誘引剤霧化装置が制御回路により制御され、交替で間欠的に作動する、間欠式昆虫誘引捕集器。
【請求項２】
前記誘引剤霧化装置が、圧電セラミックアクチュエータにより、面上に励起孔を開設した振動板を動かし、前記振動板を導水繊維の端口において作用させ、前記導水繊維の一端が誘引剤の容器内部に進入された、請求項１に記載の間欠式昆虫誘引捕集器。
【請求項３】
前記導水繊維の端口が円弧形である、請求項２に記載の間欠式昆虫誘引捕集器。
【請求項４】
前記振動板に設けた励起孔が、貫通された線状の作用槽である、請求項２に記載の間欠式昆虫誘引捕集器。
【請求項５】
前記線状の作用槽が曲線形である、請求項４に記載の間欠式昆虫誘引捕集器。
【請求項６】
前記誘引区域内にさらに体温模擬装置を設けた、請求項１に記載の間欠式昆虫誘引捕集器。
【請求項７】
前記体温模擬装置が、定温機能を備えた正温度係数セラミック抵抗器を発熱部材とする、請求項６に記載の間欠式昆虫誘引捕集器。
【請求項８】
前記誘引区域近くに蚊などの昆虫を誘引しおびき寄せることができる波長が約360-420ナノメートルの発光ダイオード紫外光光波発生器を設けた、請求項１に記載の間欠式昆虫誘引捕集器。
【請求項９】
前記誘引剤霧化装置が、開口状で内部に誘引剤を入れた容器の液面上に浮遊体を浮かせ、前記浮遊体に圧電セラミックアクチュエータを設置し、前記アクチュエータが前記振動板を動かし、前記振動板に励起孔を設け液体に作用させる、請求項１に記載の間欠式昆虫誘引捕集器。
【請求項１０】
前記振動板に設けた励起孔を貫通させた線状の作用槽とした、請求項９に記載の間欠式昆虫誘引捕集器。
【請求項１１】
前記線状の作用槽を曲線形とした、請求項１０に記載の間欠式昆虫誘引捕集器。
【請求項１２】
前記制御回路が座体内部に設置された、請求項１に記載の間欠式昆虫誘引捕集器。
【請求項１３】
前記制御回路、背圧発生装置、誘引剤霧化装置が電池から電源を取得する、請求項１または１２に記載の間欠式昆虫誘引捕集器。
【請求項１４】
前記制御回路、背圧発生装置、誘引剤霧化装置がUSB接続により電源を取得する、請求項１または１２に記載の間欠式昆虫誘引捕集器。
【請求項１５】
前記座体下方にさらに気流の圧力を解放することができる収納槽を設け、収納槽と背圧発生装置の間に相通された通路を設けた、請求項１に記載の間欠式昆虫誘引捕集器。
【請求項１６】
前記通路上に単方向隔離弁を設けた、請求項１５に記載の間欠式昆虫誘引捕集器。
【請求項１７】
前記単方向バルブが、高分子膜片の外囲を固定部に固定し、面内部を放射状に切れ目で分割し、複数の隔離片を形成して成る、請求項１６に記載の間欠式昆虫誘引捕集器。
【請求項１８】
前記単方向隔離弁に電磁または電機モータ制御のあらゆる機械式弁を採用することができ、且つ、背圧発生装置と同時に操作される、請求項１６に記載の間欠式昆虫誘引捕集器。
【請求項１９】
前記収納槽内に導流錐体を設けた、請求項１５に記載の間欠式昆虫誘引捕集器。
【請求項２０】
前記背圧発生装置がモータでファンを駆動して形成された、請求項１に記載の間欠式昆虫誘引捕集器。
【考案の詳細な説明】
【技術分野】
【０００１】
本考案は、昆虫誘引捕集器に関し、詳細には、誘導及び捕獲二つの主要な操作の制御を提供し、捕獲準備誘引時間とモータを作動し背圧を形成して捕獲を行う時間が分割され、両者を交互に行わせることで、十分な量の誘引剤分子の分布を形成して効果的に蚊などの昆虫を誘引し、背圧モータを交代で作動させ、電気の節約と安全性を確保する誘引捕獲器を得るものであり、電気の節約効果により、小型電池を利用して野外で使用することができ、設置位置も電源コードによる制限を受けることなく、任意に屋内外や有機栽培室等で使用でき、手に提げて地面上に置いたり、壁に掛けたり、吊るしたり、さまざまな方法で使用することができる、間欠式昆虫誘引捕集器に関する。
【背景技術】
【０００２】
一般に市場で販売されている蚊などの昆虫捕集器は、ほとんどが紫外光波長を利用して蚊などをおびき寄せ、経路途中に高圧電気網を設置し、ショートさせることで蚊などの昆虫を殺すものであるが、これは一定の効果はあるものの、以下のような欠点がある。
【０００３】
まず、使用する紫外光の波長は約360ナノメートルであり、人体から１メートル以内に置くと目の網膜に障害を引き起こしたり、また皮膚が長期間照射されると皮膚癌を引き起こしたりすることがある。
【０００４】
さらに、虫を捕る高圧電気網は感電を起こしやすく、特に子供の身体に危害を与えやすい。
早期には前述の紫外光を誘導体として利用し、ファン加圧の方式で蚊などの昆虫をネット内部に捕獲するものもあったが、この設計はファンの動作を停止すると、蚊などの昆虫が逆方向へ逃げてしまい、意味なく電力がただ無駄となってしまう。
【０００５】
最近では、光触媒でその特定光波を利用し蚊などの昆虫を誘引して進入させた後炭化するものがあるが、この過程においては同様に電圧でのショックとファンでの操作が必要である。
【０００６】
また、光源を利用して蚊などの昆虫をおびき寄せ、電気網でのショートとファンでの集流により高速に捕獲することができるものもあるが、これは騒音が発生する。
【０００７】
または、箱体を利用しその内部に光源を設けて蚊などの昆虫を誘引し、粘着剤で粘着して捕獲するものもあり、これは操作時に騒音は形成されないが、作業効率に優れない。
【０００８】
さらに、米国特許第5,813,166号のように、誘引剤を利用し、常態で自然に揮発させ、モータファンを持続的に動作させておびき寄せられた蚊などの昆虫をできるかぎり捕獲するというものもある。
【０００９】
上述の各種の昆虫捕集器は、常に動作させておく必要があり、大量の電流を必要とするため、コンセントから電源供給を行わなければならず、電力消費量が大きいことから野外で使用することができない。また、誘引剤の発散も実際のタイミングを見計らって制御するということができず、さらにこの誘引剤の発散操作は遊離物質を利用して空気中のブラウン運動効果を経て自然に揮発させるものであるため、発散量を適度に制御することができない。且つ、誘引剤がモータファンの持続的な動作の影響を受け、その匂いの分子がファンの風によって薄くなってしまう。さらに、ファンが背圧（真空）を形成する空間位置を誘引剤に向けて設置する必要があり、このため誘引剤が揮発すると、すぐにファンが捕獲網の方向へと誘引剤を吸引してしまい、誘引剤の揮発量を必要な密度に達させることができず、その部分の誘引効果が失われてしまう。
【考案の開示】
【考案が解決しようとする課題】
【００１０】
本考案の主な目的は、超音波霧化装置に気流負圧装置を組み合わせ、作業時間の間欠性と交互操作及び機械的捕獲により、省電力で使用時の安全性の高い、間欠式昆虫誘引捕集器を提供することにある。
【００１１】
本考案の第二の目的は、誘引区域に近い位置に体温模擬装置を設置し、蚊などの昆虫の接近率を向上した、間欠式昆虫誘引捕集器を提供することにある。
【００１２】
本考案の第三の目的は、誘引区域近くにLED紫外光光波発生器を設置して誘導光を形成し、該光波が指向性を備え、波長を特定範囲に制御でき、目の安全を確保すると共に、光をパルス作動させ、より目を引き誘引効果を上げる、間欠式昆虫誘引捕集器を提供することにある。
【００１３】
本考案の第四の目的は、該誘引剤霧化装置が圧電セラミックに振動板を設けたものであり、振動板の面に設けた励起孔を利用し、高周波振動を導水繊維の端口に作用させ、水膜を励起させる操作を行う、間欠式昆虫誘引捕集器を提供することにある。
【００１４】
本考案の第五の目的は、該霧気発生装置において、浮遊体を利用して圧電セラミックアクチュエータを設置し、圧電セラミックアクチュエータの片側から振動板を延伸させて連結し、振動板に設けた励起孔が液面で作用し、大量の水源を得ると共に、一定量で霧化を行う、間欠式昆虫誘引捕集器を提供することにある。
【課題を解決するための手段】
【００１５】
本考案は、座体上に誘引区域を設け、前記誘引区域近くに設置された誘引剤霧化装置と、背圧発生装置とを含み、そのうち、前記背圧発生装置と誘引剤霧化装置が制御回路により制御され、交替で間欠的に作動する。      
【考案を実施するための最良の形態】
【００１６】
以下、本考案について詳細に説明する。まず、図１に示すように、該誘引捕獲器１は主に座体１１に順序に従い収納槽６、背圧発生装置５、誘引区域１００内に含まれる誘引剤霧化装置２をそれぞれ設置する。
【００１７】
誘引剤霧化装置２は誘引区域１００で作用し、誘引区域１００に別途体温模擬装置３と紫外光光波発生器４を設け、該光波発生器４はさらに間欠操作回路でパルス制御ができ、点滅式に光線を発生し、この点滅する光で蚊などの昆虫の視覚を刺激して誘引し、光に寄り付く性質を持つ蚊などの昆虫をそばへおびき寄せる効果を向上する。
【００１８】
座体下端部に設置端１１０を形成し、これを利用して地面上に誘引捕獲器１を設置し、地表を這う昆虫や蚊などの飛ぶ昆虫を誘引して捕獲することができる。また、蓋体１３上方に吊掛部１３０を設けて上方に吊り下げたり、全体の側面に金属部材等を利用し壁面に取り付けたりして使用してもよい。
【００１９】
誘引剤霧化装置２は蚊を誘引する匂いを発することができ、誘引区域１００周囲にこの匂いを分布させ、蚊などの昆虫を誘引して誘引捕獲器１内に引き入れた後、準備時間と作動時間を交互に実施する間欠方式で背圧発生装置５を作動させ、背圧気流を発生し、蚊などの昆虫を収納槽６へと圧送する。
【００２０】
収納槽６には圧力解放口６１を設け、気流圧力を解放し、気流の流れを円滑にする。
【００２１】
前述の各装置はフレーム１２により連結され、背圧発生装置５と収納槽６の間に機械的単方向隔離弁７を設け、該単方向隔離弁７は背圧発生装置５の圧力作用により開き、該気流経路を収納槽６に到達させることができる。
【００２２】
前述の体温模擬装置３と紫外光光波発生器４の作動は独立操作可能とするか、または誘引剤霧化装置２と同期させてもよい。
【００２３】
上方は防塵カバー１３で覆ってもよい。
【００２４】
ファン５２は光源の表面を向かせ、反光面５２０を設けてもよい。この反光面５２０はファン５２表面の曲線に沿った形に形成し、モータを起動させた後停止させると回転の速度がゆっくりになり、該蚊などの昆虫が視覚的に引き付けられる角度にあるとき特定の場所で曲面である反光面５２０が光源の反射範囲を拡大し、蚊などの昆虫は正の走光性を持っているため、このちらつく反射光で蚊などの昆虫の視覚に対する誘引効果を向上することができる。
【００２５】
図２に示すように、Aは前述の誘引剤霧化装置２の作動時間を表し、Ｂは背圧発生装置５の作動時間を表す。
【００２６】
図のＡの作動時間はT1であり、間欠時間T（準備時間）を経た後、Bが作動され動作がT2時間維持され、T2完了後、続いてAの作動時間T1となり、こうして間欠性の交互作動が形成され、誘引剤霧化装置２と背圧発生装置５の両者に間欠性且つ交替で作動する操作を行うことができる。
【００２７】
この間欠時間Tの存在により、誘引待ち時間を形成することができ、誘引剤の浪費をなくすと共に、無意味な電流の消耗を防ぎ、誘引剤霧化装置２及び背圧発生装置５の両者間で交替作業を行い、且つ、誘引剤霧化装置２の作動時間を背圧発生装置５の作業完了後の境目に配置することで、誘引捕獲器１に合理的な誘引捕獲操作順序を形成することができる。
【００２８】
図３に示すように、本考案は特に低消費エネルギーの超音波誘引剤霧化装置２を利用し、誘引剤霧化して微粒子状にし、誘引区域内に漂わせる。
【００２９】
物質粒子の径が小さくなると、拡散理論によれば粒子の拡散速度と拡散距離が大きくなることが分かっている。このため、誘引剤の拡散効果を倍増し、蚊などをおびき寄せやすくすることができる。
【００３０】
該誘引剤は、人体が持つアミン類の化学性質を模倣した構造とすることができ、汗水のような匂い等とすることで蚊などの昆虫を誘引する効果が得られる。
【００３１】
該誘引剤霧化装置２は、容器２０内部に蚊などの昆虫を誘引する液体状の誘引剤を入れ、導水繊維２１により前述の誘引剤を吸着し端口２１０まで到達させる。この端口２１０の位置に膜状の水膜が形成され、低電圧で動作する高周波圧電セラミックアクチュエータ２２で振動板２３を動かし、振動板２３に高周波振動を発生させる。
【００３２】
振動板２３の面上に励起孔２３０を設け、該励起孔２３０は導水繊維２１が端口２１０まで到達させた液体の水膜を励起させる。
【００３３】
上述の励起孔２３０は微小な孔であり、粒径がほぼ同じの雑物の粒子が進入すると詰まってしまうことがあるため、振動板２３の励起孔２３０は直線状の作用槽２３１（図３Ａ参照）として設けることができ、作用槽２３１は複数設けるが、機械強度に影響しないことを原則とする。作動中に前述の粒径の微粒子が進入しても、長細い形状の槽の一部のみが詰まるだけですむ。
【００３４】
図３Ｂに示すように、一定面積の振動板２３表面における作用槽２３１の分布量を拡大する場合は、作用槽２３１を曲線形に設けると、曲線が限られた面幅での長さの制限下において、長細い槽の線的長さをより長くすることができ、より大きな作用エネルギーを得ることができる。当然、その作業効率は動力ソースの仕事率に合わせる必要がある。
【００３５】
図４に示すように、振動板２３がアクチュエータ２２により動かされて高周波振動を発生し、導水繊維２１が上端の端口２１０に液体を導き形成した水膜が励起され、外部に向かって霧を発生する。
【００３６】
また、該端口２１０は円弧状の端口であり、この円弧形を利用して振動板２３に接近させ、許容範囲内においてその角度θ°∠を変換することができ、これによりアクチュエータ２２Ａの角度変換と霧の噴出方向を調整することができる。
【００３７】
図５に示すように、該アクチュエータ２２は方形の塊であり、片側に振動板２３を延伸して接続し、張り出すように設置する。
【００３８】
図６に示すように、該振動板２３はさらに、円形アクチュエータ２２により駆動してもよく、円形アクチュエータ２２の片側に振動板２３を延伸して接続する。
【００３９】
前述の各振動板２３の材質は、薄い金属またはプラスチック薄膜とすることができ、その厚さは約15〜５0umとし、その面上に励起孔を形成する。
【００４０】
また、圧電セラミックアクチュエータ２２との連結は、あらゆる粘着や溶接の方法で行うことができる。
【００４１】
図７に示すように、該誘引剤霧化装置２は浮かせる方式を採用してもよく、浮遊体２４を開口状容器２０内部に浮かせ、容器２０内に誘引剤の液体を入れる。
【００４２】
該浮遊体２４が液面２００上方に浮き、浮遊体２４中央に通孔２４０を設け、該通孔２４０に振動板２３を位置させる。
【００４３】
振動板２３はアクチュエータ２２に連結され、アクチュエータ２２は浮遊体２４に設置され、さらに電線２２０を介して電力を得る。これにより、該振動板２３を液面２００の界面位置に接触させ、大量の液体のソースを得て該液体を大量に霧化させることができる。
【００４４】
そのうち、該容器２０はあらゆる方式で誘引区域１００の近隣位置に設置される（図１参照）。
【００４５】
図８に示すように、該浮遊体２４を液面２００に浮かべ、中央の通孔２４０に振動板２３を設置し、この振動板２３をアクチュエータ２２に対して斜め方向に連結し、この振動板２３をさらに斜め方向に液面２００に進入させ、アクチュエータ２２を浮遊体２４の表面上に設置することもできる。
【００４６】
図９に示すように、浮遊体２４を液面２００の上方に浮かべ、中央の通孔２４０に斜め方向に振動板２３を設置し、この振動板２３は直線的にアクチュエータ２２に連結され、アクチュエータ２２と振動板２３が同じ角度で浮遊体２４上方に設置されるようにしてもよい。
【００４７】
図１０に示すように、前述の体温模擬装置３は、枠体３０を誘引区域１００（図１参照）に設置し、この枠体３０底部に発熱部材３１を連結する。
【００４８】
該発熱部材３１が発生する熱は約38℃〜42℃とし、体温の範囲を超え、さらに環境空気の温度と混ざり、誘引区域１００に人体体温に近い温度を残留させることができる。
【００４９】
該発熱部材３１はあらゆるサーミスタまたは正温度係数セラミック抵抗器を採用することができ、その自己恒温特性を利用して必要な温度曲線を表現することができる。
【００５０】
これらの発熱部材３１が発生する温度は回路制御またはあらゆる放熱部品などを介し、終端での温度値が必要範囲内となるようにする技術であればすべて採用可能とする。
【００５１】
図１１に示すように、紫外光光波発生器４は座部４０を利用し、あらゆる方法で誘引区域１００（図１参照）の近隣位置に設置する。
【００５２】
座部４０は誘引空間に向けて設置したLED紫外光発生器４１を備え、このLED紫外光発生器４１が発生する光束Ｂ０が十分な量の集合光線または散射光線を提供し、蚊などの昆虫に対する誘導を形成すると共に、光束Ｂ０は誘引区域１００内部で反射させることができ、漏れ出る光線により目に障害を与えることのないようにし、且つ、その波長は特定の安全な周波数に制御される。
【００５３】
上述の光波の波長は約360-420ナノメートルの範囲内とするのが望ましい。
【００５４】
図１２に示すように、該背圧発生装置５はモータ５１によりファン５２を動かし、軸流方式で収納槽６に連結される。経路途中に単方向隔離弁７を設け、収納槽６に圧力解放口６１を設ける。
【００５５】
背圧発生装置５が送り込む気流は、まず単方向隔離弁７に設けた隔離片７１を押し、隔離片７１を押し開いて通路を形成し、気流が収納槽６へ進入する。収納槽６に設けた圧力解放口６１は進入した正圧力を外部に解放する。
【００５６】
また、収納槽６底部に導流錐体６２を設けてもよく、該導流錐体６２の存在により進入した気流に混流が発生し、その動エネルギーが損耗されるのを防ぐことができる。
【００５７】
図１３に示すように、該単方向隔離弁７はあらゆる単方向に開閉可能な機械動作弁とすることができ、電磁力やモータ駆動等の装置を利用し、背圧発生装置に設けたファンモータと同時に動作させたり、或いは機械的に自動位置回復が可能な弁、または簡易的な高分子膜片から成る隔離片７１０の周囲に固定部７２を設け、面の中央部を切れ目７０で放射状に等分して分割し、複数の独立した隔離片７１を形成してもよい。
【００５８】
該隔離片７１は約1グラムの風圧を受けるだけで単方向隔離弁７を下方向へ開くことができ、風力Ｆが停止すると、その弾性回復作用で隔離片７１が元の遮蔽状態を回復する。
【００５９】
収納槽６に設けた圧力解放口６１の面上にネット６１０を設けて阻隔し、捕獲した蚊などの昆虫が逃げられないようにして機械的な捕獲を形成する。
【００６０】
図１４に示すように、前述の各装置の動作タイミングは、制御回路８により制御され、該制御回路８は電源装置８１を備え、該電源装置８１は導入端子８１２から電力を得る。
【００６１】
該導入端子はUSB 端子８１１を利用しコンピュータから駆動電力を得ることができ、一方に充電回路８１３を備え、電池８１４に対し充電を行い、該電池８１４は電源装置８１を介して電力を入力し、制御回路８が使用することができる。そのうち、該電池８１４は必要な全体の作業電力量が極めて低いため、小型電池を使用することができ、屋内外のあらゆる場所での使用に適しており、手に提げたり、地面に置いたり、あらゆる形式であらゆる空間に設置することができる。
【００６２】
該電力をタイミング制御装置８０に提供して超音波駆動回路８２及びファン駆動回路８５を制御し、誘引剤霧化装置２及び背圧発生装置５が異なるタイミングで交替に作動するよう制御し、図２に示すようなタイミングの状態とする。
【００６３】
加熱制御装置８３は発熱部材３１に対して制御を行い、体温模擬装置３の発熱部材３１の必要な電源８１０を制御してオン／オフ操作する。
【００６４】
体温模擬装置３は図１０に示すような応用概念とし、加熱制御装置８３が発熱部材３１の必要な作動時間を制御する。該発熱部材３１に正温度係数セラミック抵抗器を利用する場合は、放熱構造が許容する条件下で加熱制御装置８３を簡略化することができる。
【００６５】
また、該発熱部材３１は電源の条件に合わせるため低圧で動作する。
【００６６】
電流は電源８１０から進入した後、一方で紫外光発生器４を作動させ、LED紫外光発光器４１を駆動して紫外光波を発生させる。
【００６７】
図１５に示すように、該発熱部材３１をより高効率にするため、CV、CP、CT等の方式の回路を利用し、定電圧CV、定格条件の電源CP、定温度導入の方式を経て最も安定した発熱効果を得る。
【００６８】
発熱温度は約38-42℃の間に制御し、該体温模擬装置３を加えた後、図１６に示す座標図が得られ、そのうち、四角形は熱源を操作しないときの温度曲線、三角形は熱源操作時の温度曲線を示し、誘引捕獲能力を約４０％向上可能であることが分かる。
【図面の簡単な説明】
【００６９】
【図１】本考案の構造を示す立体図である。
【図２】本考案の誘引剤霧化装置と背圧発生装置の作動時間を示す図である。
【図３】本考案の誘引剤霧化装置の主な構成部材を示す立体図である。
【図３Ａ】本考案の直線状の作用槽を示す平面図である。
【図３Ｂ】本考案の曲線状の作用槽を示す平面図である。
【図４】図３の動作を示す側面図である。
【図５】本考案の振動板を方形のアクチュエータに連結した状態を示す立体図である。
【図６】本考案の振動板を円形のアクチュエータに連結した状態を示す立体図である。
【図７】本考案の誘引剤霧化装置の別の実施例である。
【図８】図７の実施例に折り曲げ折式の斜め方向の振動板を用いた状態を示す側面図である。
【図９】図７の実施例に直線式の斜め方向の振動板を用いた状態を示す側面図である。
【図１０】本考案の体温模擬装置の主な構成を示す立体図である。
【図１１】本考案の光波発生器の主な構成を示す立体図である。
【図１２】本考案の背圧発生装置を収納槽に相対させて組み込んだ状態を示す側面断面図である。
【図１３】本考案の単方向隔離弁の収納槽に対する動作を示す立体図である。
【図１４】本考案の制御回路図である。
【図１５】本考案の発熱部材制御用基礎回路図である。
【図１６】本考案の体温模擬装置動作後の時間温度を示す曲線図である。
【符号の説明】
【００７０】
１        誘引捕獲器
１００    誘引区域
１１      座体
１１０    設置端
１２      フレーム
１３      防塵カバー
１３０    吊掛部
２        誘引剤霧化装置
２０      容器
２００    液面
２１      導水繊維
２１０    端口
２２、２２Ａ  アクチュエータ
２２０    電線
２３      振動板
２３０    励起孔
２３１    作用槽
２４      浮遊体
２４０    通孔
３        体温模擬装置
３０      枠体
３１      発熱部材
４        光波発生器
４０      座部
４１      LED発光器
５        背圧発生装置
５１      モータ
５２      ファン
５２０    反光面
６        収納槽
６１      圧力解放口
６１０    ネット
６２      導流錐体
７        単方向隔離弁
７０      切れ目
７１      隔離片
７１０    高分子膜片
７２      固定部
８        制御回路
８０      タイミング制御装置
８１      電源装置
８１０    電源
８１１    USB 端子
８１２    導入端子
８１３    充電回路
８１４    電池
８２      超音波駆動回路
８３      加熱制御装置
８５      ファン駆動回路
Ｂ０      光束
Ｆ        風力
Ａ        誘引剤霧化装置の作動時間線図
Ｂ        背圧発生装置の作動時間線図    
【図１】
0003119186.tif 000003
【図２】
0003119186.tif 000004
【図３】
0003119186.tif 000005
【図３Ａ】
0003119186.tif 000006
【図３Ｂ】
0003119186.tif 000007
【図４】
0003119186.tif 000008
【図５】
0003119186.tif 000009
【図６】
0003119186.tif 000010
【図７】
0003119186.tif 000011
【図８】
0003119186.tif 000012
【図９】
0003119186.tif 000013
【図１０】
0003119186.tif 000014
【図１１】
0003119186.tif 000015
【図１２】
0003119186.tif 000016
【図１３】
0003119186.tif 000017
【図１４】
0003119186.tif 000018
【図１５】
0003119186.tif 000019
【図１６】
0003119186.tif 000020